【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
エネルギー取引の計画作成と実行を行うエネルギー取引管理システムであって、
エネルギーの取引に関わる条件が各々で異なる複数の取引契約において、各々の取引条件に基づいて算出した取引エネルギーを相互に換算する基準変換部
を備えることを特徴とするエネルギー取引管理システム。
【請求項２】
前記基準変換部は、
エネルギーの前記取引に関わる条件が各々で異なる複数の取引契約において、各々の取引条件に基づいて各々の取引エネルギー量を算出し、算出した前記取引エネルギー量を相互に対応付けることで相互変換する取引量基準変換部を備える
ことを特徴とする請求項１に記載のエネルギー取引管理システム。
【請求項３】
前記取引エネルギーは、需要家が所有する設備の動作を制御することにより生産され、前記需要家が所有する前記設備の動作制御は、少なくとも制御内容と制御開始時刻で構成される運用計画に基づいて実行されるものであって、
前記基準変換部は、
前記需要家から調達したエネルギーの卸売先との取引契約に規定されるエネルギーの受渡し時間を対象期間として設定し、前記対象期間内の任意の時刻に前記運用計画の開始時刻を設定し、前記設定した開始時刻と予め設定されている制御内容とに基づいて前記需要家が所有する前記設備の動作制御を実行した際の時間ごとのエネルギー消費量を算出する取引時間基準変換部を備える
ことを特徴とする請求項１に記載のエネルギー取引管理システム。
【請求項４】
前記エネルギー取引管理システムは、
卸売先との取引条件を充足するように、需要家の運用計画を当該需要家の他の運用計画又は異なる需要家の運用計画に変更する調達計画立案部をさらに備える
ことを特徴とする請求項１乃至３のいずれか一項に記載のエネルギー取引管理システム。
【請求項５】
前記エネルギー取引管理システムは、
前記調達計画立案部にて算出した前記需要家からのエネルギーの調達計画が、前記卸売先との前記取引条件を充足するか否かを判定することにより、前記卸売先との取引契約の受諾可否を応答する卸売計画立案部をさらに備える
ことを特徴とする請求項４に記載のエネルギー取引管理システム。
【請求項６】
前記取引エネルギーは、需要家が所有する設備の動作を制御することにより生産され、前記需要家が所有する前記設備の動作制御は、少なくとも制御内容と制御開始時刻で構成される運用計画に基づいて実行されるものであって、
前記エネルギー取引管理システムは、
卸売先との取引エネルギー量が前記卸売先との取引契約に規定されている取引目標の量よりも少ない場合、又は取引による損益が予め定めた条件に満たない場合、前記運用計画又は前記運用計画の開始時刻を変更し、前記需要家及び前記卸売先とのそれぞれの取引エネルギー量を再算出する調達計画立案部をさらに備える
ことを特徴とする請求項１に記載のエネルギー取引管理システム。
【請求項７】
前記取引エネルギーは、需要家が所有する設備の動作を制御することにより生産され、前記需要家が所有する前記設備の動作制御は、少なくとも制御内容と制御開始時刻で構成される運用計画に基づいて実行されるものであって、
前記エネルギー取引管理システムは、
エネルギーの卸売先との取引契約に規定される受渡し時間の前後に、前記設備の動作の応答速度に基づいて定められる時間である所定の時間を付加した期間を対象期間として設定する調達計画立案部をさらに備える
ことを特徴とする請求項１に記載のエネルギー取引管理システム。
【請求項８】
前記エネルギー取引管理システムは、
前記取引エネルギーは、需要家が所有する設備の動作を制御することにより生産され、前記需要家が所有する前記設備の動作制御は、少なくとも制御内容と制御開始時刻で構成される運用計画に基づいて実行されるものであって、
前記需要家との取引契約に基づいて算出する取引エネルギー量と、前記卸売先との取引契約に基づいて算出するエネルギー量の比率を、前記需要家と締結した取引契約に規定されている取引価格に乗算することで前記需要家との取引における実質取引価格を算出し、前記実質取引価格に基づいて損益を算出する損益評価部をさらに備える
ことを特徴とする請求項１に記載のエネルギー取引管理システム。
【請求項９】
前記取引エネルギーは、需要家が所有する設備の動作を制御することにより生産され、前記需要家が所有する前記設備の動作制御は、少なくとも制御内容と制御開始時刻で構成される運用計画に基づいて実行されるものであって、
前記運用計画を管理する設備運用管理装置を有し、
前記設備運用管理装置は、
前記需要家が所有する設備の仕様を規定した設備情報に基づいて、１つの前記設備に対して１又は複数の前記設備の運用計画候補の情報からなる運用計画候補情報を作成し、
前記運用計画候補情報に基づいて前記設備の運用を実行した場合の外部環境の影響を予測し、
前記外部環境の影響が、予め設定された条件を満たす場合、前記運用計画候補情報を前記需要家の設備の運用計画として設定する運用計画立案部を備える
ことを特徴とする請求項１に記載のエネルギー取引管理システム。
【請求項１０】
前記取引エネルギーは、需要家が所有する設備の動作を制御することにより生産され、前記需要家が所有する前記設備の動作制御は、少なくとも制御内容と制御開始時刻で構成される運用計画に基づいて実行されるものであって、
前記基準変換部は、
前記需要家から調達したエネルギーの卸売先との取引契約に規定されるエネルギーの受渡し時間を対象期間として設定し、
前記エネルギー取引管理装置は、
前記対象期間を設定する際、前記卸売先との取引契約に規定される受渡し時間の前後に所定の時間を付加した期間を前記対象期間として設定し、
前記所定の時間は、前記設備の動作の応答速度に基づいて定められる時間であり、
卸売先との取引エネルギー量が前記卸売先との取引契約に規定されている取引目標の量よりも少ない場合、又は取引による損益が予め定めた条件に満たない場合、前記運用計画又は前記運用計画の開始時刻を変更し、前記需要家及び前記卸売先とのそれぞれの取引エネルギー量を再算出する調達計画立案部をさらに備える
を備えることを特徴とする請求項１に記載のエネルギー取引管理システム。
【請求項１１】
前記取引エネルギーは、需要家が所有する設備の動作を制御することにより生産され、前記需要家が所有する前記設備の動作制御は、少なくとも制御内容と制御開始時刻で構成される運用計画に基づいて実行されるものであって、
前記運用計画を管理する設備運用管理装置を有し、
前記設備運用管理装置は、
需要家が所有する前記設備の仕様を規定した設備情報に基づいて、１つの前記設備に対して１又は複数の運用計画候補を作成し、
前記運用計画候補の実行時における外部環境の影響を予測し、
前記外部環境の影響が予め設定された条件を満たす場合、前記運用計画候補を前記運用計画として設定し、
前記外部環境の影響が、予め設定された条件を満たさない場合、前記設備情報に基づいて前記運用計画候補を修正し、修正した運用計画候補を実行した場合の外部環境の影響を再予測し、前記再予測した外部環境の影響が前記予め設定された条件を満たす場合、修正した運用計画候補を前記運用計画として修正する運用計画立案部
を備えることを特徴とする請求項１に記載のエネルギー取引管理システム。
【請求項１２】
エネルギーの取引に関わる契約である前記取引契約は、エネルギーを利用する事業者とエネルギーを生産する複数の需要家、取引を仲介する事業者と前記複数の需要家、又は前記取引を仲介する事業者と前記エネルギーを利用する複数の事業者の何れかの間で締結される取引契約である
ことを特徴とする請求項１に記載のエネルギー取引管理システム。
【手続補正２】
【補正対象書類名】明細書
【補正対象項目名】発明の名称
【補正方法】変更
【補正の内容】
【発明の名称】エネルギー取引管理システム
【手続補正３】
【補正対象書類名】明細書
【補正対象項目名】０００１
【補正方法】変更
【補正の内容】
【０００１】
本発明は、エネルギー取引管理システムに関する。
【手続補正４】
【補正対象書類名】明細書
【補正対象項目名】００１１
【補正方法】変更
【補正の内容】
【００１１】
需要家から調達したエネルギーを卸売先に卸売りする際に需要家との間及び卸売先との間で締結される異なる取引契約に基づいてエネルギー取引を管理し得るエネルギー取引管理システムを提案する。
【手続補正５】
【補正対象書類名】明細書
【補正対象項目名】００１２
【補正方法】変更
【補正の内容】
【００１２】
かかる課題を解決するために、本発明においては、エネルギー取引の計画作成と実行を行うエネルギー取引管理システムであって、エネルギーの取引に関わる条件が各々で異なる複数の取引契約において、各々の取引条件に基づいて算出した取引エネルギーを相互に換算する基準変換部を設けるようにした。
【手続補正６】
【補正対象書類名】明細書
【補正対象項目名】００１３
【補正方法】削除
【補正の内容】
【手続補正７】
【補正対象書類名】明細書
【補正対象項目名】００４８
【補正方法】変更
【補正の内容】
【００４８】
記憶装置１１２５には、情報入出力部１１２５１等のコンピュータプログラムが格納されており、また調達取引契約情報データベース１１２５２及び卸売取引契約情報データベース１１２５３等のデータベースが格納されている。卸売取引契約情報データベース１１２５３には卸売取引契約情報１１２５３Ａが保持されており、調達取引契約情報データベース１１２５２には調達取引契約情報１１２５２Ａが保持されている。
【手続補正８】
【補正対象書類名】明細書
【補正対象項目名】００８５
【補正方法】変更
【補正の内容】
【００８５】
（４）フローチャート
図８は、エネルギー取引計画立案処理の処理手順を示す。このエネルギー取引計画立案処理は、エネルギー取引管理装置１１１がエネルギー取引事業者１０からの入力操作を受け付けたことを契機として実行される処理である。エネルギー取引管理装置１１１は、入力操作を受け付けるとステップＳＰ１〜ＳＰ４の処理を実行し、次いで設備運用管理装置１２１がステップＳＰ５の処理を実行し、その後再びエネルギー取引管理装置１１１がステップＳＰ５〜ＳＰ９の処理を実行する。
【手続補正９】
【補正対象書類名】明細書
【補正対象項目名】００８７
【補正方法】変更
【補正の内容】
【００８７】
まず卸売計画立案部１１１５１は、取引商品情報配信端末３０Ａから受信した卸売取引に関する情報を参照して卸売取引を行うか否かを判断し、卸売取引を行うと判断した場合、卸売取引契約情報１１２５３Ａを作成する（ＳＰ１）。